【手続補正書】
【提出日】平成26年9月18日(2014.9.18)
【手続補正１】
【補正対象書類名】明細書
【補正対象項目名】０００６
【補正方法】変更
【補正の内容】
【０００６】
前記課題を解決するために、本発明のネイルプリント装置は、
ネイルプリント装置において、
指の爪に印刷を施す印刷ヘッドを有する印刷部と、
少なくとも一つの装飾用パーツを前記爪に貼り付ける位置を示す位置情報を含む画像データに基づいて前記印刷部を制御して、前記爪に前記位置情報を含む配置情報を印刷させる印刷制御部と、
を備えることを特徴としている。
【手続補正２】
【補正対象書類名】明細書
【補正対象項目名】０００７
【補正方法】変更
【補正の内容】
【０００７】
また、本発明のネイルプリント装置の印刷方法は、
ネイルプリント装置の印刷方法であって、
前記ネイルプリント装置は、指の爪に印刷を施す印刷ヘッドを有する印刷部を有し、
少なくとも一つの装飾用パーツを前記爪に貼り付ける位置を示す位置情報を含む画像データに基づいて前記印刷部を制御して、前記爪に前記位置情報を含む配置情報を印刷させることを特徴としている。
【手続補正３】
【補正対象書類名】特許請求の範囲
【補正対象項目名】全文
【補正方法】変更
【補正の内容】
【特許請求の範囲】
【請求項１】
ネイルプリント装置において、
指の爪に印刷を施す印刷ヘッドを有する印刷部と、
少なくとも一つの装飾用パーツを前記爪に貼り付ける位置を示す位置情報を含む画像データに基づいて前記印刷部を制御して、前記爪に前記位置情報を含む配置情報を印刷させる印刷制御部と、
を備えることを特徴とするネイルプリント装置。
【請求項２】
前記画像データは、前記装飾用パーツのイメージ画像のデータを含んでおり、
前記イメージ画像は、前記装飾用パーツと同じ形状を有し、前記装飾用パーツと同じ大きさを有し、
前記印刷制御部は、前記イメージ画像に応じた第１画像を生成し、前記位置情報による前記装飾用パーツを貼り付ける位置に前記第１画像を配置した画像を、前記配置情報として、前記爪に印刷させることを特徴とする請求項１に記載のネイルプリント装置。
【請求項３】
前記印刷制御部は、前記第１画像を設定された色で印刷させるように、前記印刷部を制御することを特徴とする請求項２に記載のネイルプリント装置。
【請求項４】
前記画像データは、背景デザイン及び前記装飾用パーツの色を示す色情報のデータを含んでおり、
前記色は、前記色情報に基づいて設定されることを特徴とする請求項３に記載のネイルプリント装置。
【請求項５】
前記印刷制御部は、前記装飾用パーツのイメージ画像のサイズを所定の縮小率で縮小したときの値が、所定の設定値に等しいか該設定値より大きい値となるとき、前記第１画像を、前記イメージ画像のサイズを前記縮小率で縮小した縮小画像とすることを特徴とする請求項２から請求項４のいずれか一項に記載のネイルプリント装置。
【請求項６】
前記印刷制御部は、前記装飾用パーツのイメージ画像のサイズを前記縮小率で縮小したときの値が、前記設定値より小さい値となるとき、（ｉ）前記第１画像を前記装飾用パーツのイメージ画像のサイズを前記設定値に縮小又は拡大した画像にする、（ｉｉ）前記第１画像を前記装飾用パーツのイメージ画像と同じ画像にする、（ｉｉｉ）前記第１画像を印刷しない、
の何れかを実行することを特徴とする請求項５に記載のネイルプリント装置。
【請求項７】
前記画像データは、前記装飾用パーツのサイズを示す文字情報のデータを含んでおり、
前記印刷制御部は、前記文字情報の画像を有する第２画像を生成し、前記位置情報による前記装飾用パーツを貼り付ける位置に前記第２画像を配置した画像を、前記配置情報として、前記爪に印刷させることを特徴とする請求項１から請求項６のいずれか一項に記載のネイルプリント装置。
【請求項８】
前記印刷制御部は、前記第２画像を設定された画像色で印刷させるように、前記印刷部を制御することを特徴とする請求項７に記載のネイルプリント装置。
【請求項９】
前記画像データは、背景デザイン及び前記装飾用パーツの色を示す色情報のデータを含んでおり、
前記画像色は、前記色情報に基づいて設定されることを特徴とする請求項８に記載のネイルプリント装置。
【請求項１０】
前記印刷制御部は、前記装飾用パーツのイメージ画像のサイズが所定の設定値に等しいか該設定値より大きい値であるとき、前記第２画像における前記文字情報の画像の大きさを、前記イメージ画像のサイズより小さく、且つ、前記イメージ画像のサイズに比例した大きさに設定し、前記設定値は、前記第２画像における前記文字情報の画像の大きさが所定の最小値となる前記装飾用パーツのイメージ画像のサイズであることを特徴とする請求項７から請求項９のいずれか一項に記載のネイルプリント装置。
【請求項１１】
前記印刷制御部は、前記装飾用パーツのイメージ画像のサイズが前記設定値より小さい値であるとき、（ｉ）前記第２画像における前記文字情報の画像の大きさを前記最小値に設定する、（ｉｉ）前記第２画像を印刷しない、の何れかを実行するとこを特徴とする請求項１０に記載のネイルプリント装置。
【請求項１２】
ネイルプリント装置の印刷方法であって、
前記ネイルプリント装置は、指の爪に印刷を施す印刷ヘッドを有する印刷部を有し、
少なくとも一つの装飾用パーツを前記爪に貼り付ける位置を示す位置情報を含む画像データに基づいて前記印刷部を制御して、前記爪に前記位置情報を含む配置情報を印刷させることを特徴とするネイルプリント装置の印刷方法。
【請求項１３】
前記画像データは、前記装飾用パーツのイメージ画像のデータを含んでおり、前記イメージ画像は、前記装飾用パーツと同じ形状を有し、前記装飾用パーツと同じ大きさを有し、
前記配置情報を爪に印刷させる動作は、前記イメージ画像に応じた第１画像を生成し、前記位置情報による前記装飾用パーツを貼り付ける位置に前記第１画像を配置した画像を、前記配置情報として、前記爪に印刷させる動作を含むことを特徴とする請求項１２に記載のネイルプリント装置の印刷方法。
【請求項１４】
前記配置情報を爪に印刷させる動作は、更に、前記第１画像を設定された色で印刷させる動作を含むことを特徴とする請求項１３に記載のネイルプリント装置の印刷方法。
【請求項１５】
前記配置情報を爪に印刷させる動作は、前記装飾用パーツのイメージ画像のサイズを所定の縮小率で縮小したときの値が、所定の設定値に等しいか該設定値より大きい値となるとき、前記第１画像を、前記イメージ画像のサイズを前記縮小率で縮小した画像とする動作を含むことを特徴とする請求項１３又は請求項１４に記載のネイルプリント装置の印刷方法。
【請求項１６】
前記配置情報を爪に印刷させる動作は、前記装飾用パーツのイメージ画像のサイズを前記縮小率で縮小したときの値が、前記設定値より小さい値となるとき、（ｉ）前記第１画像を前記装飾用パーツのイメージ画像のサイズを前記設定値に縮小又は拡大した画像にする、（ｉｉ）前記第１画像を前記装飾用パーツのイメージ画像と同じ画像にする、（ｉｉｉ）前記第１画像を印刷しない、の何れかを実行することを特徴とする請求項１５に記載のネイルプリント装置の印刷方法。
【請求項１７】
前記画像データは、前記装飾用パーツのサイズを示す文字情報のデータを含んでおり、
前記配置情報を爪に印刷させる動作は、前記文字情報の画像を有する第２画像を生成し、前記位置情報による前記装飾用パーツを貼り付ける位置に前記第２画像を配置した画像を、前記配置情報として、前記爪に印刷させる動作を含むことを特徴とする請求項１２から請求項１６のいずれか一項に記載のネイルプリント装置の印刷方法。
【請求項１８】
前記配置情報を爪に印刷させる動作は、前記第２画像を設定された画像色で印刷させる動作を含むことを特徴とする請求項１７に記載のネイルプリント装置の印刷方法。
【請求項１９】
前記配置情報を爪に印刷させる動作は、前記装飾用パーツのイメージ画像のサイズが所定の設定値に等しいか該設定値より大きい値であるとき、前記第２画像における前記文字情報の画像の大きさを、前記イメージ画像のサイズより小さく、且つ、前記イメージ画像のサイズに比例した大きさに設定する動作を含み、前記設定値は、前記第２画像における前記文字情報の画像の大きさが所定の最小値となる前記装飾用パーツのイメージ画像のサイズであることを特徴とする請求項１７又は請求項１８に記載のネイルプリント装置の印刷方法。
【請求項２０】
前記配置情報を爪に印刷させる動作は、前記イメージ画像のサイズが前記設定値より小さい値であるとき、（ｉ）前記第２画像における前記文字情報の画像の大きさを前記最小値に設定する、（ｉｉ）前記第２画像を印刷しない、の何れかを実行することを特徴とする請求項１９に記載のネイルプリント装置の印刷方法。